(57)【要約】【課題】ドキュメント処理装置を介して、直接、外部の情報源にあるコンテンツを検索し、所望の出力宛先にルーティングするシステムおよび方法を提供する。【解決手段】ドキュメント処理装置はユーザ識別情報を受け取り、次いで、検索するコンテンツの所望の宛先情報を含む出力指定データを受け取る。次に、所望のコンテンツに対応するクエリを受け取る。クエリは外部の情報源にルーティングされ、クエリに応答してコンテンツが検索される。検索されたコンテンツ・データは、ドキュメント処理装置から指定の出力宛先へルーティングされる。【選択図】図４
2007334887.tif 000002
【特許請求の範囲】
【請求項１】
ユーザ識別データを受け取る手段と、
所望の出力宛先を表すルーティング・データを含む出力指定データを受け取る手段と、
所望のコンテンツを表すクエリ・データをユーザから受け取る手段と、
受け取ったクエリ・データにしたがって外部データ源からコンテンツ・データを検索する手段と、
この検索手段によって検索されたコンテンツ・データを、前記受け取ったルーティング・データにしたがって、前記出力宛先にルーティングするルーティング手段と
を有することを特徴とするドキュメント処理装置を介したコンテンツの検索およびルーティング・システム。
【請求項２】
前記出力指定データは前記検索されたコンテンツ・データを前記出力宛先において出力する形態を表す出力形態データを、さらに、含み、
この出力形態データによって表される出力形態は、印刷、または電子メール、またはデータ・ファイル、または無線伝送、または視覚的表示を含むことを特徴とする請求項１に記載のドキュメント処理装置を介したコンテンツの検索およびルーティング・システム。
【請求項３】
受け取った識別データにしたがって外部データ源を通じて検索されたコンテンツを定期的に更新する更新手段を、さらに、有し、
前記ルーティング手段は、受け取ったルーティング・データにしたがって出力宛先に、前記更新手段によって更新されたコンテンツをルーティングする手段を含むことを特徴とする請求項１に記載のドキュメント処理装置を介したコンテンツの検索およびルーティング・システム。
【請求項４】
コンテンツ・データの変更を監視する監視手段と、
この監視手段によってコンテンツ・データの変更を検出したときに、前記更新手段を起動する手段と
を、さらに、有することを特徴とする請求項３に記載のドキュメント処理装置を介したコンテンツの検索およびルーティング・システム。
【請求項５】
ネットワークを介して、前記外部データ源に前記クエリ・データをルーティングするネットワーク・インターフェイス手段を、さらに、有することを特徴とする請求項１に記載のドキュメント処理装置を介したコンテンツの検索およびルーティング・システム。
【請求項６】
ユーザによって選択された電子ドキュメントを受け取る手段と、
前記電子ドキュメントの出力に関するドキュメント出力インストラクションを受け取る手段と、
前記電子ドキュメントと前記検索されたコンテンツ・データとをハイブリッド電子ドキュメントに結合する結合手段とを、さらに、有し、
前記ルーティング手段は、前記ハイブリッド電子ドキュメントを前記出力宛先にルーティングする手段を含むことを特徴とする請求項１に記載のドキュメント処理装置を介したコンテンツの検索およびルーティング・システム。
【請求項７】
前記コンテンツ・データは、財務データ、または気象データ、またはスケジュール・データ、またはイベント・データ、またはウェブサイト・データ、または地図データを含むことを特徴とする請求項１に記載のドキュメント処理装置を介したコンテンツの検索およびルーティング・システム。
【請求項８】
ユーザ識別データを受け取るステップと、
所望の出力宛先を表すルーティング・データを含む出力指定データを受け取るステップと、
所望のコンテンツを表すクエリ・データをユーザから受け取るステップと、
受け取ったクエリ・データにしたがって外部データ源からコンテンツ・データを検索するステップと、
このステップにおいて検索されたコンテンツ・データを、前記受け取ったルーティング・データにしたがって、前記出力宛先にルーティングするステップと
を含むことを特徴とするドキュメント処理装置を介したコンテンツの検索およびルーティング方法。
【請求項９】
前記出力指定データは前記検索されたコンテンツ・データを前記出力宛先において出力する形態を表す出力形態データを、さらに、含み、
この出力形態データによって表される出力形態は、印刷、または電子メール、またはデータ・ファイル、または無線伝送、または視覚的表示を含むことを特徴とする請求項８に記載のドキュメント処理装置を介したコンテンツの検索およびルーティング方法。
【請求項１０】
受け取った識別データにしたがって外部データ源を通じて検索されたコンテンツを定期的に更新するステップと、
受け取ったルーティング・データにしたがって出力宛先に、更新されたコンテンツをルーティングするステップと
をさらに含むことを特徴とする請求項８に記載のドキュメント処理装置を介したコンテンツの検索およびルーティング方法。
【請求項１１】
コンテンツ・データの変更を監視するステップと、
このステップにおいてコンテンツ・データの変更を検出したときに、前記更新ステップを開始させるステップと
を、さらに、含むことを特徴とする請求項１０に記載のドキュメント処理装置を介したコンテンツの検索およびルーティング方法。
【請求項１２】
ネットワークを介して、前記外部データ源に前記クエリ・データをルーティングするステップを、さらに、含むことを特徴とする請求項８に記載のドキュメント処理装置を介したコンテンツの検索およびルーティング方法。
【請求項１３】
ユーザによって選択された電子ドキュメントを受け取るステップと、
前記電子ドキュメントの出力に関するドキュメント出力インストラクションを受け取るステップと、
前記電子ドキュメントと前記検索されたコンテンツ・データとをハイブリッド電子ドキュメントに結合するステップと、
前記ハイブリッド電子ドキュメントを前記出力宛先にルーティングするステップと
を、さらに、含むことを特徴とする請求項８に記載のドキュメント処理装置を介したコンテンツの検索およびルーティング方法。
【請求項１４】
前記コンテンツ・データは、財務データ、または気象データ、またはスケジュール・データ、またはイベント・データ、またはウェブサイト・データ、または地図データを含むことを特徴とする請求項８に記載のドキュメント処理装置を介したコンテンツの検索およびルーティング方法。
【発明の詳細な説明】
【技術分野】
【０００１】
本発明は、ドキュメント処理装置を介したコンテンツの検索およびルーティング・システムおよび方法に関し、特に、インターネットまたはネットワーク・ストレージ・リポジトリ等の情報源（source）またはストレージ・リポジトリから、所望のコンテンツを検索し、ユーザに提供するシステムおよび方法に関する。
【背景技術】
【０００２】
多機能周辺装置等のドキュメント処理装置のユーザは、ドキュメント装置によって一般に処理することができる従来のドキュメント処理サービスに加えて、より多くのサービスが提供されることを要求するようになっている。例えば、インターネットまたは選択されたストレージ・リポジトリから情報を検索したいと望むユーザも存在する。また、ドキュメントの配布のためのワークフロー・ルーチンまたはスケジュールをセットアップしたいと望むユーザも存在する。現在のシステムでは、ユーザはそのような情報またはサービスを提供できる能力を備えるコンピュータまたは他の類似の装置にアクセスしなければならない。いったん要求した情報を受け取るか、または選択したサービスを実行すると、検索された情報のハードコピーまたは実行されたサービスのログを望むユーザも存在する。しかし、その際ユーザは、受け取った情報またはログをコンピューティング装置から出力のためのドキュメント処理装置に送らなければならない。ユーザがハンドヘルド型装置を使用しているか、またはオフィス環境にいない場合には、情報をドキュメント処理装置に送ることは困難である。ハンドヘルド型装置の場合、その装置は有線または無線通信チャネルのいずれかによりドキュメント処理装置に接続する機能を有していなければならないか、ユーザは、ドキュメント処理装置に情報を転送可能なポータブル記憶媒体に情報を保存しなければならないかのどちらかである。ユーザがオフィス環境にいない場合、ユーザはドキュメント処理装置と通信しているコンピューティング装置を介して情報にアクセスする必要がある。しかし、公共施設に設置されたドキュメント処理装置は一般に、モバイル・ユーザを通じてアクセスされる可能性があるコンピューティング装置とデータ通信を行っていない。また、一般に、モバイル・ユーザは、情報にアクセスするか、またはサービスを実行し、情報またはサービスログをポータブル記憶媒体に記憶するためにコンピューティング装置を使用するための料金を支払わなければならない。さらに、その後ユーザは、情報またはサービスログのハードコピーを出力するためにドキュメント処理装置を使用するために料金を支払わなければならない。
【０００３】
したがって、上記の問題点を解決し、外部の情報源（external source）からドキュメント処理装置自体を介してコンテンツまたはサービスの提供を可能にするシステムおよび方法が望まれていた。
【発明の開示】
【発明が解決しようとする課題】
【０００４】
本発明は、上記の従来の問題点に鑑みてなされたもので、ドキュメント処理装置を介して、直接、外部の情報源にあるコンテンツを検索し、所望の出力宛先に検索したコンテンツを所望の出力形態で出力することを可能とするシステムおよび方法を提供することを目的とする。
【課題を解決するための手段】
【０００５】
本発明によるドキュメント処理装置を介したコンテンツの検索およびルーティング・システムは、ユーザ識別データを受け取る手段と、所望の出力宛先（output destination）を表すルーティング・データを含む出力指定データを受け取る手段と、所望のコンテンツを表すクエリ・データをユーザから受け取る手段と、受け取ったクエリ・データにしたがって外部データ源（external data source）からコンテンツ・データを検索する手段と、この検索手段によって検索されたコンテンツ・データを、前記受け取ったルーティング・データにしたがって、前記出力宛先にルーティングするルーティング手段とを有する。前記出力指定データは前記検索されたコンテンツ・データを前記出力宛先において出力する形態を表す出力形態データを、さらに、含み、この出力形態データによって表される出力形態は、印刷、または電子メール、またはデータ・ファイル、または無線伝送、または視覚的表示を含む。また、本発明によるドキュメント処理装置を介したコンテンツの検索およびルーティング・システムは、受け取った識別データにしたがって外部データ源を通じて検索されたコンテンツを定期的に更新する更新手段を、さらに、有し、前記ルーティング手段は、受け取ったルーティング・データにしたがって出力宛先に、前記更新手段によって更新されたコンテンツをルーティングする手段を含む。さらに、本発明によるドキュメント処理装置を介したコンテンツの検索およびルーティング・システムは、コンテンツ・データの変更を監視する監視手段と、この監視手段によってコンテンツ・データの変更を検出したときに、前記更新手段を起動する手段とを、さらに、有する。また、本発明によるドキュメント処理装置を介したコンテンツの検索およびルーティング・システムは、ネットワークを介して、前記外部データ源に前記クエリ・データをルーティングするネットワーク・インターフェイス手段を、さらに、有する。また、本発明によるドキュメント処理装置を介したコンテンツの検索およびルーティング・システムは、ユーザによって選択された電子ドキュメントを受け取る手段と、前記電子ドキュメントの出力に関するドキュメント出力インストラクションを受け取る手段と、前記電子ドキュメントと前記検索されたコンテンツ・データとをハイブリッド電子ドキュメントに結合する結合手段とを、さらに、有し、前記ルーティング手段は、前記ハイブリッド電子ドキュメントを前記出力宛先にルーティングする手段を含む。前記コンテンツ・データは、財務データ、または気象データ、またはスケジュール・データ、またはイベント・データ、またはウェブサイト・データ、または地図データを含む。
【０００６】
本発明によるドキュメント処理装置を介したコンテンツの検索およびルーティング方法は、ユーザ識別データを受け取るステップと、所望の出力宛先を表すルーティング・データを含む出力指定データを受け取るステップと、所望のコンテンツを表すクエリ・データをユーザから受け取るステップと、受け取ったクエリ・データにしたがって外部データ源からコンテンツ・データを検索するステップと、このステップにおいて検索されたコンテンツ・データを、前記受け取ったルーティング・データにしたがって、前記出力宛先にルーティングするステップとを含む。
【発明の効果】
【０００７】
本発明によれば、ドキュメント処理装置を介して、直接、外部の情報源にあるコンテンツを検索し、所望の出力宛先に検索したコンテンツを所望の出力形態で出力することを可能とするシステムおよび方法が提供される。
【発明を実施するための最良の形態】
【０００８】
以下、適宜、図面を参照しながら本発明による実施形態の説明を行う。図１は本発明による実施形態が適用されるシステム全体の構成例を示すブロック図である。図に示したシステム１００は、コンピュータ・ネットワーク１０２として表されている分散コンピューティング環境を利用している。コンピュータ・ネットワーク１０２は、複数の電子装置間におけるデータの交換を可能とする本技術分野で知られた任意の分散通信環境である。コンピュータ・ネットワーク１０２は、例えば、仮想ネットワーク、ローカル・エリア・ネットワーク、パーソナル・エリア・ネットワーク、インターネット、イントラネット、ワイド・エリア・ネットワークまたはそれらの任意の組み合わせを含む本技術分野で知られている任意のコンピュータ・ネットワークである。コンピュータ・ネットワーク１０２は、例えば、トークン・リング、IEEE802.11(x)、Ethernet（登録商標）またはその他の無線ベースまたは有線ベースのデータ通信メカニズム等の既存の多数のデータ転送メカニズムによって例示されるような物理レイヤおよびトランスポート・レイヤから構成される。
【０００９】
システム１００は、様々なドキュメント処理動作を実行するために適切な多機能周辺装置（Multi-Function Peripheral；以下、ＭＦＰということがある。）として図に表されている、少なくとも１台のドキュメント処理装置１０４を含む。しかし、ＭＦＰはドキュメント処理装置１０４の一形態であって、本発明におけるドキュメント処理装置がＭＦＰに限定されるものではない。ドキュメント処理装置１０４によって提供される様々なドキュメント処理サービスには、例えば、電子メール、画像走査、コピー、ファクシミリ通信、ドキュメント管理、印刷等が含まれる。また、本発明による一実施形態において、ドキュメント処理装置１０４は、例えば、IEEE 1394あるいはＵＳＢインターフェイスを有する各種ドライブ、多様なＩＣメモリカード等の、複数のポータブル記憶媒体を受け入れるためのインターフェイスを備える。本発明の実施形態においては、ドキュメント処理装置１０４は、さらに、タッチ・スクリーン・インターフェイス、ＬＣＤ等のユーザ・インターフェイス１０６を備え、ユーザは、このようなユーザ・インターフェイスを介して共用のドキュメント処理装置１０４と直接やり取りすることができる。ユーザ・インターフェイス１０６は、グラフィカル・ユーザ・インターフェイス（ＧＵＩ）を備える。このＧＵＩによって、ユーザは、外部の情報源（external source）からダウンロードする様々なコンテンツを選択したり、コンピュータ・ネットワーク１０２を介して保存されている電子ドキュメントを選択すること等ができる。ドキュメント処理装置１０４は、ユーザとやり取りを行い、情報を提供するように構成された、ハードウェア、ソフトウェアおよびこれらの任意の適切な組み合わせを含む。
【００１０】
本発明による実施形態において、ドキュメント処理装置１０４は、さらに、ドキュメント処理装置１０４による処理操作を容易にする適切なコントローラ１０８を内蔵している。コントローラ１０８は、ドキュメント処理装置１０４の動作を制御したり、ユーザ・インターフェイス１０６を介した画像の表示を制御したり、更新情報の検索を実行したり、ルーティング（routing；経路指定）処理動作の実行を制御するように構成されたハードウェア、ソフトウェア、あるいはこれらの適切な組み合わせとして具現化される。図においては、コントローラ１０８がドキュメント処理装置１０４に内蔵された実施形態を示しているが、コントローラ１０８がドキュメント処理装置１０４に通信可能に接続された外部装置の実施形態であってもよい。コントローラ１０８の構成等については、後ほど図２と図３を参照しながら説明を行う。
【００１１】
好ましくは、ドキュメント処理装置１０４は、さらに、通信可能に接続され、ドキュメントの保存、ユーザ情報の保存、コンテンツ・データの保存、公共および商用のサービス・プロバイダのネットワーク・アドレス等の提供等を行う適切なデータ記憶装置１１０を含む。データ記憶装置１１０は、例えば、ハードディスク・ドライブ、その他の磁気記憶装置、光学式記憶装置、フラッシュ・メモリまたはそれらの任意の組み合わせを含む本技術分野で知られている大容量記憶装置である。図において、データ記憶装置１１０をシステム１００の独立した構成要素として示しているが、例えば、内蔵ハードディスク・ドライブ等といったドキュメント処理装置１０４の内部記憶装置の形態で実装することもできる。
【００１２】
本発明の一実施形態においては、ドキュメント処理装置１０４は適切な通信リンク１１２を介してコンピュータ・ネットワーク１０２とデータ通信を行う。適切な通信リンク１１２には、WiMax（Worldwide Interoperability for Microwave Access）、IEEE802.11a、IEEE802.11b、IEEE802.11g、IEEE802.11(x)、Bluetooth（登録商標）、公衆交換電話網、専用通信ネットワーク、赤外線接続、光接続、または本技術分野で知られている他の適切な有線または無線のデータ通信チャネルが含まれる。
【００１３】
また、システム１００は、コンピュータ・ネットワーク１０２を介して、ドキュメント処理装置１０４が利用しやすい外部リソース（external resources）を提供するために適切な、少なくとも一つのウェブ・サーバ１１４を含む。ウェブ・サーバ１１４は、例えば、財務データ・プロバイダ、気象データ・プロバイダ、スケジュール・データ・プロバイダ、イベント・データ・プロバイダ、ニュース・データ・プロバイダ、ウェブサイト・データ・プロバイダ、地図データ・プロバイダ等を含む、本技術分野において知られている、例えば、公共または商用のネットワーク・サービス・プロバイダ等の任意の外部リソースプロバイダを表わしている。ウェブ・サーバ１１４は、コンピュータ・ネットワーク１０２を介して、ユーザに外部リソースを提供するために適切に適応された任意のソフトウェア、ハードウェアまたはそれらの組合せからなる。ウェブ・サーバ１１４は、適切な通信リンク１２０を介して、コンピュータ・ネットワーク１０２と通信可能に接続されている。通信リンク１２０は、例えば、赤外線接続、光接続、専用通信ネットワーク、公衆交換電話網、Bluetooth（登録商標）、WiMax、IEEE802.11a、IEEE802.11b、IEEE802.11g、IEEE802.11(x)、または本技術分野で知られている他の適切な有線ベースまたは無線ベースのデータ伝送手段を含む、本技術分野において知られているデータ通信の任意の適切な手段である。本発明による一実施形態において、通信リンク１２０は、ユーザがドキュメント処理装置１０４の所で、コンピュータ・ネットワーク１０２を介して、セキュリティ面で安全なユーザに関連するデータを検索することを可能にするために、セキュリティ面で安全な通信リンクとして具現化される。
【００１４】
図に示したとおり、システム１００は、また、コンピュータ・ネットワーク１０２を介してドキュメント管理サービスを提供するために適切なドキュメント管理サーバ１１６を含む。ドキュメント管理サーバ１１６は、コンピュータ・ネットワーク１０２にドキュメント管理サービスを提供するために適切に適応された、任意のソフトウェア、ハードウェアあるいはこれらの組合せによって実装することができる。適切なドキュメント管理サービスには、例えば、セキュリティ面で安全なドキュメント保存、ドキュメント管理、制限されたドキュメント・アクセス等が含まれる。ドキュメント管理サーバ１１６は、適切な通信リンク１２２を介してコンピュータ・ネットワーク１０２と通信可能に接続されている。通信リンク１２２は、例えば、赤外線接続、光接続、専用通信ネットワーク、公衆交換電話網、Bluetooth（登録商標）、WiMax、IEEE802.11a、IEEE802.11b、IEEE802.11g、IEEE802.11(x)、または本技術分野で知られている他の適切な有線ベースまたは無線ベースのデータ伝送手段を含む、本技術分野において知られているデータ通信の任意の適切な手段である。本発明による一実施形態において、通信リンク１２２は、ドキュメント管理サーバ１１６と、コンピュータ・ネットワーク１０２に通信可能に接続された任意の他の電子装置との間で、セキュリティ面で安全な通信チャネルを適切に提供する。好ましくは、通信リンク１２２は、コンピュータ・ネットワーク１０２を介してアクセス可能な電子ドキュメントのセキュリティを、ウェブ・セキュリティ・プロトコルのようなデータ・セキュリティ・プロトコルを用いて、保証する。
【００１５】
さらに、コンピュータ・ネットワーク１０２には、図においてネットワーク・リポジトリ・サーバ１１８として示した、ネットワーク記憶装置すなわちリポジトリが通信可能に接続されている。ネットワーク・リポジトリ・サーバ１１８は、電子ドキュメント、ダウンロードされたデータ、ユーザ・データ、アドレス・データ等を受け取り、そのようなデータを保存する、適切なネットワーク・リポジトリを表している。本発明における一実施形態においては、ネットワーク・リポジトリ・サーバ１１８は、例えば、磁気記憶装置、光学式記憶装置、ハードディスク・ドライブ、ソリッド-ステート・メモリ素子またはそれらの任意の適切な組合せを含む、本技術分野で知られている大容量記憶装置を備えている。好ましくは、ネットワーク・リポジトリ・サーバ１１８は、不正アクセスを防ぐように、本技術分野において知られている適切な手段によって、データをセキュリティ面で安全に保存する。また、ネットワーク・リポジトリ・サーバ１１８は、適切な通信リンク１２４を介して、コンピュータ・ネットワーク１０２と通信可能に接続されている。通信リンク１２４は、例えば、Bluetooth（登録商標）、WiMax、IEEE802.11a、IEEE802.11b、IEEE802.11g、IEEE802.11(x)、専用通信ネットワーク、赤外線接続、光接続、公衆交換電話網、または本技術分野で知られている他の適切な有線または無線のデータ通信チャネルである。
【００１６】
システム１００はさらに、ドキュメント管理サーバ１１６、ネットワーク・リポジトリ・サーバ１１８等によって保存される電子ドキュメント・データを生成するユーザ装置１２６を含む。ユーザ装置１２６は、適切な通信リンク１２８を介して、コンピュータ・ネットワーク１０２と通信可能に接続されている。図においては例証目的だけのために、ユーザ装置１２６はノート形パーソナル・コンピュータとして示されている。図に示したユーザ装置１２６は、本技術分野で知られている任意のパーソナル・コンピューティング装置を表しており、例えば、コンピュータ・ワークステーション、デスクトップ形パーソナル・コンピュータ、携帯情報端末（ＰＤＡ）、ウェブ適合（web-enabled）携帯電話、スマートフォン、またはその他のウェブ適合電子装置が含まれる。通信リンク１２８は、例えば、Bluetooth（登録商標）、WiMax、IEEE802.11a、IEEE802.11b、IEEE802.11g、IEEE802.11(x)、専用通信ネットワーク、赤外線接続、光接続、公衆交換電話網、または本技術分野で知られている他の適切な有線または無線のデータ通信チャネルである。ユーザ装置１２６は、ウェブ・サーバ１１４、ドキュメント管理サーバ１１６、ネットワーク・リポジトリ・サーバ１１８、ドキュメント処理装置１０４、あるいはコンピュータ・ネットワーク１０２とデータ通信可能な他の電子装置と、コンピュータ・ネットワーク１０２を介して、通信するように適切に構成されている。
【００１７】
上述の装置に加えて、システム１００は、図においてウェブ適合（web-enabled）携帯電話１３０として示した、ウェブ適合ポータブル電子装置を含む。ここで、図に示したウェブ適合携帯電話１３０は、本技術分野において知られている任意のポータブル電子装置の例を表しているにすぎず、例えば、スマートフォン、ポータブル電子メール装置、ウェブ適合ＰＤＡ等を含む、コンピュータ・ネットワーク１０２と無線データ通信が可能な任意のポータブル電子装置が含まれる。本発明による一実施形態においては、ウェブ適合携帯電話１３０は、適切な通信リンク１３２を介してコンピュータ・ネットワーク１０２とデータ通信を行う。適切な通信チャネル１３２には、例えば、IEEE802.11a、IEEE802.11b、IEEE802.11g、IEEE802.11(x)、専用通信ネットワーク、赤外線接続、光接続、公衆交換電話網、Bluetooth（登録商標）、WiMax、または本技術分野で知られている他の適切な有線または無線のデータ通信チャネルが含まれる。本発明による他の実施形態においては、ウェブ適合携帯電話１３０は、例えば、IEEE802.11(x)、Bluetooth（登録商標）、赤外線接続、光接続、WiMax等の無線データリンクを介して、直接、ドキュメント処理装置１０４と通信を行う。すなわち、このような実施形態においては、コンピュータ・ネットワーク１０２を経由することなく、ドキュメント処理装置１０４と直接データ通信を行うことができる物として、ウェブ適合携帯電話１３０が用いられている。
【００１８】
次に、図２および図３を参照しながら、本発明による実施形態におけるシステムの動作が実行されるコントローラのハードウェアおよび機能構成等を説明する。図２に、本発明による実施形態においてシステム１００の動作が実行される、図１においてはコントローラ１０８として示した、コントローラ２００のハードウェア・アーキテクチャの構成例を示す。コントローラ２００は、少なくとも一つのＣＰＵを含むプロセッサ２０２を備えている。プロセッサ２０２は、互いに協調して動作する複数のＣＰＵから構成されることもある。また、コントローラ２００は、ＢＩＯＳ機能、システム機能、システム構成データおよびコントローラ２００の動作に使用する他のルーチンもしくはデータ等の静的または固定的なデータ、あるいはインストラクションのために有効に使用される、不揮発性または読出し専用メモリ（ＲＯＭ）２０４を含む。
【００１９】
また、コントローラ２００には、ダイナミック・ランダム・アクセス・メモリ、スタティック・ランダム・アクセス・メモリ、または他の任意の適切なアドレス指定可能かつ書込み可能な記憶システムから構成されるＲＡＭ２０６が含まれている。ＲＡＭ２０６は、プロセッサ２０２により処理されるアプリケーションおよびデータ処理に関係するデータインストラクションのための記憶領域を提供する。
【００２０】
ストレージ・インターフェイス２０８は、コントローラ２００に関連するデータの不揮発性保存、大量保存または長期的な保存ためのメカニズムを提供する。ストレージ・インターフェイス２０８は、２１６として図示したディスク・ドライブ、あるいは光学式ドライブ、テープ・ドライブ等の適切な任意のアドレス指定可能、またはシリアル記憶装置等の大量記憶装置の他、当業者に知られた適切な任意の記憶媒体を使用する。
【００２１】
ネットワーク・インターフェイス・サブシステム２１０は、ネットワークからの入出力を適切にルーティングすることによって、コントローラ２００が他の装置と通信することを可能にする。ネットワーク・インターフェイス・サブシステム２１０は、コントローラ２００への外部装置との一つまたは複数のコネクションのインターフェイスを適切にとる。図においては、例えば、Ethernet（登録商標）、トークン・リング等といった固定または有線ネットワークとのデータ通信のための少なくとも一つのネットワーク・インターフェイス・カード２１４、およびWiFi（Wireless Fidelity）、WiMax、無線モデム、セルラ・ネットワークまたは適切な任意の無線通信システム等の手段を介した無線通信のために適切な無線インターフェイス２１８を示している。ネットワーク・インターフェイス・サブシステム２１０は、任意の物理的データ転送レイヤあるいは物理的データ転送レイヤではないデータ転送レイヤまたはプロトコル・レイヤを適切に利用する。ネットワーク・インターフェイス・カード２１４は、ローカル・エリア・ネットワーク、ワイド・エリア・ネットワークまたはそれらの組合せから適切に構成される物理的ネットワーク２２０を介したデータ交換を行うために、相互接続されている。
【００２２】
プロセッサ２０２、読出し専用メモリ２０４、ＲＡＭ２０６、ストレージ・インターフェイス２０８およびネットワーク・インターフェイス・サブシステム２１０の間のデータ通信は、バス２１２によって例示したバス・データ転送メカニズムを介して行われる。
【００２３】
また、ドキュメント・プロセッサ・インターフェイス２２２もバス２１２を介してデータ通信を行う。ドキュメント・プロセッサ・インターフェイス２２２は、様々なドキュメント処理動作を実行するために、ドキュメント処理ハードウェア２３２との接続を提供する。そのようなドキュメント処理動作には、コピー・ハードウェア２２４によって実行されるコピー、画像走査ハードウェア２２６によって実行される画像走査、印刷ハードウェア２２８によって実行される印刷、およびファクシミリ・ハードウェア２３０によって実行されるファクシミリ通信が含まれる。コントローラ２００は、これらのドキュメント処理動作のいずれかまたは全部を適切に動作させる。複数のドキュメント処理動作を実行可能なシステムは、前述したように、ＭＦＰと呼ばれる。システム１００の機能は、ドキュメント処理装置と関連するインテリジェント・サブシステムとして図２に示したコントローラ２００を含む、ドキュメント処理装置において実行される。
【００２４】
次に図３を参照しながらシステムの動作が実行されるコントローラの機能ブロックと動作の概要を説明する。図３に、本発明による実施形態のシステム１００の動作が実行されるコントローラ３００の機能ブロックの構成例を示す。図３は、ソフトウェアおよびオペレーティング・システム機能と関連して、図２に示したハードウェアの機能性を例示している。コントローラ３００の機能は、ドキュメント処理エンジン３０２を含む。
【００２５】
一実施形態において、ドキュメント処理エンジン３０２は、印刷動作、コピー動作、ファクシミリ通信動作および画像走査動作を可能にする。これらの機能が一つの装置で実行できる装置は、業界において一般に好まれるドキュメント処理周辺装置であるＭＦＰである。しかし、コントローラ３００が上記のドキュメント処理動作のすべてを可能にする必要は必ずしもない。コントローラは、上記のドキュメント処理動作のサブセットである、専用のドキュメント処理装置、あるいはより限定した目的のドキュメント処理装置においても有効に用いられる。
【００２６】
ドキュメント処理エンジン３０２はユーザ・インターフェイス・パネル３１０と適切にインターフェイスされており、ユーザまたは管理者は、このパネル３１０を介して、ドキュメント処理エンジン３０２によって制御される機能にアクセスすることができる。アクセスは、コントローラへのローカルなインターフェイスを介して行われるか、遠隔のシン・クライアント（thin client）またはシック・クライアント（thick client）によって遠隔から行われる。
【００２７】
ドキュメント処理エンジン３０２は、印刷機能部３０４、ファクシミリ通信機能部３０６および画像走査機能部３０８とデータ通信を行う。これらの機能部は、印刷、ファクシミリの送受信、およびドキュメント画像をコピーのために取得するか、またはドキュメント画像の電子バージョンを生成するためのドキュメント画像走査の、実際の処理操作を容易にする。
【００２８】
ジョブ・キュー（job queue）３１２は、印刷機能部３０４、ファクシミリ通信機能部３０６および画像走査機能部３０８とデータ通信を行う。ビットマップ、ページ記述言語（ＰＤＬ）またはベクター・フォーマット等の種々の画像形式は、画像走査機能部３０８からジョブ・キュー３１２を介して以降の処理のために中継される。
【００２９】
ジョブ・キュー３１２は、また、ネットワーク・サービス機能部３１４ともデータ通信を行う。一実施形態において、ジョブ制御、状態データまたは電子ドキュメント・データが、ジョブ・キュー３１２とネットワーク・サービス機能部３１４との間で交換される。このように、適切なインターフェイスが、クライアント側ネットワーク・サービス機能３２０を介したコントローラ３００へのネットワーク・ベースのアクセスのために設けられている。一実施形態において、ウェブ・サービス・アクセスは、ハイパーテキスト転送プロトコル（HTTP）、ファイル転送プロトコル（FTP）、ユニフォーム・データ・ダイアグラム・プロトコル（uniform data diagram protocol）または他の任意の適切な交換メカニズムによって実行される。ネットワーク・サービス機能部３１４は、また、FTP、電子メール、テルネット（TELNET）等を介した通信のために、クライアント側ネットワーク・サービス機能３２０とのデータ交換も有効に提供する。このように、コントローラ機能３００は、種々のネットワーク・アクセス・メカニズムによって、電子ドキュメントおよびユーザ情報の出力あるいは受信を容易にする。
【００３０】
ジョブ・キュー３１２は、また、画像プロセッサ３１６ともデータ通信を行う。画像プロセッサ３１６は、印刷機能部３０４、ファクシミリ通信機能部３０６または画像走査機能部３０８等の装置サービスと、電子ドキュメントを交換するために適したフォーマットに変換するラスタ画像処理（ＲＩＰ）、ページ記述言語インタープリタまたは任意の適切な画像処理を行うメカニズムである。
【００３１】
最後に、ジョブ・キュー３１２はジョブ解析部（job parser）３１８とデータ通信を行い、このジョブ解析部３１８はクライアント装置サービス部３２２等の外部装置からの印刷ジョブ言語（ＰＪＬ）ファイルを受け取る働きをする。クライアント装置サービス部３２２は、印刷、ファクシミリ通信、またはコントローラ機能３００による処理が有効である他の適切な電子ドキュメントの入力を含む。ジョブ解析部３１８は、受け取った電子ドキュメント・ファイルを解析し、それを前述した機能および要素と関連する処理のために、解析した電子ドキュメント・ファイル情報をジョブ・キュー３１２に中継する働きをする。
【００３２】
以下、本発明における動作の概要を説明する。ドキュメント処理装置１０４と関係づけられたコントローラ１０８は、先ず、ユーザ・インターフェイス１０６を介して、ユーザからユーザ識別情報またはユーザ識別データを受け取る。ユーザ識別情報は、ユーザＩＤ、ユーザのパスワード、生体認証データ、識別番号等に対応する。本発明による一実施形態においては、ドキュメント処理装置１０４とウェブ適合携帯電話１３０とが近接しているときに、ウェブ適合携帯電話１３０からドキュメント処理装置１０４にBluetooth（登録商標）接続によって、ユーザ識別情報を送信することができる。ユーザ識別情報は、例えば、アクセス権、セキュリティ、アカウント情報、外部リソースアクセス等に関してユーザを特定するために使用される。ユーザは、ユーザ・インターフェイス１０６を介して、ドキュメント処理装置１０４によってユーザのために検索されるコンテンツについて所望の出力指定データを選択する。出力指定データには、検索されるコンテンツの所望の出力宛先（output destination）を表すルーティング・データが含まれる。また、出力指定データには、コンテンツの出力宛先における出力形態を表すデータを含めることもできる。適切な出力形態には、例えば、印刷、電子メール、保存のためのデータ・ファイル、無線送信、ユーザ・インターフェイス１０６を介した視覚的表示等が含まれる。
【００３３】
次に、コントローラ１０８は、ドキュメント処理装置１０４によって検索されるコンテンツ・データについてのクエリ（query；検索要求、問合わせ）を入力するように、ユーザを促す。すなわち、ユーザは、地図データ、イベント・データ、ウェブサイト・データ、財務データ、スケジュール・データ、ネットワーク・リポジトリ・サーバ１１８からの特定のファイル、ドキュメント管理サーバ１１６を介した電子ドキュメント等を要求する。そのようなクエリは、ドキュメント処理装置１０４のユーザ・インターフェイス１０６を経由して、例えばGoogle（登録商標）、Yahoo（登録商標）!、Ask.com等の検索エンジンを通じて、ユーザによって提出されることができる。その後、ドキュメント処理装置１０４のコントローラ１０８は、提出されたクエリを、ウェブ・サーバ１１４によって表されるウェブ・サイト、ドキュメント管理サーバ１１６、ネットワーク・リポジトリ・サーバ１１８等のような外部リソース、すなわちドキュメント処理装置１０４の外部にあるリソースにルーティングする。ウェブ・サーバ１１４、ドキュメント管理サーバ１１６およびネットワーク・リポジトリ・サーバ１１８のネットワーク・アドレスは、コントローラ１０８に知られており、データ記憶装置１１０に保存されている。本発明の一実施形態においては、ドキュメント処理装置１０４のコントローラ１０８は、ユーザから受け取った識別データを用いて、ユーザと関係づけられたネットワーク・アドレスのリスト、すなわちブックマークを取り出す。ユーザは、このネットワーク・アドレスのリスト、すなわちブックマークから所望の外部リソースを選択する。ユーザは、ユーザ・インターフェイス１０６を介して、適切なブラウザ・アプリケーションによってブックマークには無い外部リソースを選択することもできる。
【００３４】
ドキュメント処理装置１０４は、コンピュータ・ネットワーク１０２を介して、提出されたクエリに対応する外部リソースからコンテンツ・データを受け取り、ユーザによって選択された出力宛先に、受け取ったコンテンツ・データをルーティングする。すなわち、ドキュメント処理装置１０４のコントローラ１０８が要求されたコンテンツ・データを、ウェブ・サーバ１１４、ドキュメント管理サーバ１１６あるいはネットワーク・リポジトリ・サーバ１１８から受け取ると、検索されたデータはその後、ユーザによって選択された出力宛先、例えばユーザ装置１２６またはウェブ適合携帯電話１３０と関係する電子メール・アドレス、ネットワーク・リポジトリ・サーバ１１８上のファイル・ロケーション、ドキュメント処理装置１０４、ユーザ・インターフェイス１０６に転送される。検索されたデータが、ドキュメント処理装置１０４に転送されてくる場合には、ハードコピーの出力形態をとることができ、また、ユーザ・インターフェイスに転送されてくる場合には、その表示画面上に視覚的な効果を持つ出力形態をとることができる。コントローラ１０８はその後、これまでに受け取ったコンテンツ・データへの変更について、外部リソースを定期的に監視する。例えば、以前に提出されたクエリが外部ウェブ・サーバ１１４から入手可能な地図に関するものであった場合には、ドキュメント処理装置１０４のコントローラ１０８は、検索された地図に関連する、例えば、交通、建築物等の更新ついて、ウェブ・サーバ１１４を定期的に監視する。更新されたコンテンツ・データが検出された場合には、最新情報は指定された出力宛先、例えば、関係するユーザのウェブ適合携帯電話１３０にルーティングされる。予め定められた時間が経過するか、キャンセル要求が受け取られるか、あるいは本技術分野において知られている任意の他の手段によって監視の終了処理が行われるまで、ドキュメント処理装置１０４は、これまでに受け取ったコンテンツの更新を監視し続けることができる。
【００３５】
本発明による一実施形態においては、ドキュメント処理装置１０４は、指定の出力宛先にコンテンツ・データをルーティングする前に、ユーザがドキュメント処理装置１０４に電子ドキュメントの処理の要求あるいは実行依頼も行った否かの判断を行う。このような要求があるとの判断が行われた場合には、ドキュメント処理装置１０４は、ユーザから、ユーザ・インターフェイス１０６を介して、所望の出力形式に対応する出力インストラクションを受け取る。受け取ったコンテンツと電子ドキュメントとは、本技術分野において知られている適切な任意の手段によって、ハイブリッド電子ドキュメントに統合される。ハイブリッド・ドキュメント、すなわちハイブリッド電子ドキュメントは、指定の出力宛先にルーティングされ、ドキュメント処理装置１０４は、前述したように、コンテンツの変更の監視を継続する。
【００３６】
次に図４ないし図６を参照しながら、本発明による実施形態においてドキュメント処理装置を介してコンテンツの検索およびルーティングを行う動作を説明する。図４に、本発明による実施形態において、ドキュメント処理装置を介してコンテンツの検索およびルーティングを行う動作例を表すフローチャートを示す。先ず、Ｓ４０２で、ドキュメント処理装置１０４は、ユーザからユーザ識別データを受け取る。ユーザ識別データは、例えば、ユーザ・インターフェイス１０６を介して、ユーザから受け取られる。次に、ドキュメント処理装置１０４はＳ４０４で、ユーザによって選択された所望の出力指定データを受け取る。出力指定データには、検索されるコンテンツの所望の出力宛先を表すルーティング・データが含まれる。また、出力指定データには、コンテンツの出力宛先における出力形態を表すデータを含めることもできる。出力形態には、例えば、印刷、電子メール、無線伝送、視覚的表示等が含まれる。続いてＳ４０６で、クエリがドキュメント処理装置１０４によって受け取られる。クエリは、ユーザによって、例えばユーザ・インターフェイス１０６を介して、選択された所望のコンテンツを表すデータを含む。本発明による実施形態において、クエリ・データは、さらに、例えば、ウェブ・サーバ１１４によってホストされたウェブ・サイト、ドキュメント管理サーバ１１６からの特定のドキュメント、ネットワーク・リポジトリ・サーバ１１８からの所望のファイル等といった、選択されたコンテンツに関する指定の外部の情報源（external source）を表すデータを含む。このような実施形態において、外部の情報源は、例えばユーザ識別データと関係づけられたブックマーク等のデータ記憶装置１１０に保存されたアドレスのような、ネットワーク・アドレスによって有効に表現される。
【００３７】
Ｓ４０８で、クエリは、ドキュメント処理装置１０４のコントローラ１０８によって、コンピュータ・ネットワーク１０２を介して、指定の外部の情報源にルーティングされる。ユーザによって要求されたコンテンツがそのコンテンツにアクセスするためのユーザの権利に関する認証情報を必要とする場合、ドキュメント処理装置１０４と関係づけられたコントローラ１０８は、ユーザから受け取ったユーザ識別情報をクエリに含める。Ｓ４１０で、クエリによって要求されたコンテンツが指定の外部の情報源から検索される。検索されたコンテンツは、例えば、ウェブ・サーバ１１４、ドキュメント管理サーバ１１６、ネットワーク・リポジトリ・サーバ１１８等の外部の情報源から、コンピュータ・ネットワーク１０２を介して、ドキュメント処理装置１０４に送られる。次いで処理はＳ４１２に進み、外部の情報源から検索されたコンテンツは出力宛先にルーティングされる。例えば、検索されたコンテンツ・データは、ドキュメント処理装置１０４によって印刷されるか、無線通信によってウェブ適合携帯電話１３０に送られるか、電子メールによってユーザ装置１２６またはウェブ適合携帯電話１３０に送られる。
【００３８】
次に図５を参照しながら、本発明による実施形態において、以前に受け取ったコンテンツ・データに関する変更の監視を行う動作を説明する。図５に、本発明による実施形態において、以前に受け取ったコンテンツ・データに関する変更の監視を行う動作例を表すフローチャートを示す。先ず、Ｓ５０２で、ドキュメント処理装置１０４は、以前に受け取ったコンテンツ・データに関する変更について外部の情報源を定期的に監視する。Ｓ５０４では、コンテンツ・データに関して何らかの変更が検出されたか否かの判断が、ドキュメント処理装置１０４と関係づけられたコントローラ１０８によって行われる。変更が検出された場合には、処理はＳ５０６に進み、更新されたコンテンツ・データが、外部の情報源から検索され、指定された出力宛先にルーティングされる。本発明による実施形態においては、出力宛先には、例えば、ユーザ・インターフェイス１０６、プリンタ・エンジン出力、遠隔電子装置等が含まれる。その後Ｓ５０８で、コントローラ１０８はコンテンツ・データへの更新について監視し続けることが必要か否かの判断がコントローラ１０８によって行われる。ドキュメント処理装置１０４と関係づけられたコントローラ１０８がコンテンツ・データへの変更を監視することは、もはや必要ではないと判断した場合には、処理は終了する。コントローラ１０８が、例えば所定の時間が経過していない、あるいはキャンセルのインストラクションが未だ受信されていない等、変更を監視することを依然として必要であると判断した場合には、処理はＳ５０２に戻る。コンテンツ・データへのいかなる変更も検出されていないことがＳ５０４で判断された場合は、処理はＳ５０８における監視を続けるか否かの判断に直接進む。本発明によれば、図５を参照して説明を行った、コンテンツ・データへの変更の監視が、図４を参照して説明を行った、ドキュメント処理装置を介してのコンテンツの検索およびルーティングのための動作にしたがって具体化可能であることは、当業者によって理解されるであろう。
【００３９】
次に図６を参照しながら、本発明による実施形態において、ドキュメント処理装置１０４に電子ドキュメントの処理の要求が行われている場合の動作を説明する。図６に、本発明による実施形態において、ドキュメント処理装置１０４に電子ドキュメントの処理の要求が行われている場合の動作例を表すフローチャートを示す。先ず、Ｓ６０２で、ドキュメント処理装置１０４と関係づけられたコントローラ１０８は、ユーザからドキュメント処理装置１０４に電子ドキュメントの処理の要求が行われているか否かの判断を行う。すなわち、ドキュメント処理装置１０４のコントローラ１０８は、ユーザによって要求されたコンテンツがユーザによって識別された電子ドキュメントと結合または統合されるべきか否かを、Ｓ６０２で、判断する。そのようなユーザからの処理の要求が行われていないと判断された場合には、ドキュメント処理装置１０４と関係づけられたコントローラ１０８は、Ｓ６０４で、コンテンツ・データを出力宛先にルーティングし、その後、処理は終了する。
【００４０】
Ｓ６０２に戻って、ユーザからドキュメント処理装置１０４に電子ドキュメントの処理の要求が行われていると判断された場合には、処理はＳ６０６に進む。Ｓ６０６で、電子ドキュメントに関る出力インストラクションが、ユーザ・インターフェイス１０６を介して、ユーザから受け取られる。電子ドキュメントおよび検索されたコンテンツ・データはその後、Ｓ６０８でハイブリッド・ドキュメントに結合または統合される。ハイブリッド・ドキュメントはその後、Ｓ６１０で指定された出力宛先にルーティングされる。
【００４１】
図６を参照して説明した動作は、上述した図５を参照して説明した本発明の監視する様相にしたがって具体化が可能であることは、当業者によって認識されるであろう。当業者は、図５を参照して説明した通り、外部コンテンツのそのような監視が図４および図６における動作にも等しく適用可能であることを認識するであろう。同様に、当業者は理解するはずであるように、図６において取り上げた本発明のハイブリッド化の様相は、図４を参照して説明したドキュメント処理装置を介してのコンテンツの検索およびルーティングのための動作にしたがって具体化が可能である。
【００４２】
本発明は、ソース・コード、オブジェクト・コード、部分的にコンパイルされた形のようなコード中間ソースおよびオブジェクト・コードの形、あるいは本発明の実施形態で使用するために適した任意の他の形のコンピュータ・プログラムに適用される。コンピュータ・プログラムは、スタンドアローンのアプリケーション、ソフトウェア・コンポーネント、スクリプトまたは他のアプリケーションへのプラグ・インとすることができる。本発明を実施するコンピュータ・プログラムは、例えば、ＲＯＭやＲＡＭ等の記憶媒体、ＣＤ−ＲＯＭ等の光記録媒体、フロッピー（登録商標）ディスク等の磁気記録媒体等の、コンピュータ・プログラムを伝達することができる任意の実体または装置である担体上で具体化することができる。この担体は、電気ケーブルまたは光ケーブルによって、または無線や他の手段によって伝えられる電気信号や光信号等の任意の伝達可能な担体である。コンピュータ・プログラムは、サーバからインターネットを介してダウンロードすることもできる。また、コンピュータ・プログラムの機能は集積回路に組み込むこともできる。説明を行った本発明の原理を実質的にコンピュータまたはプロセッサに実行させるコードを含む任意およびすべての実施形態は、本発明の技術的な範囲内にある。
【００４３】
本発明の好ましい実施形態の以上の説明は、例示と説明のために行った。説明は網羅的ではなく、本発明を開示した形態に限定しようとするものでもない。以上の教示を鑑みて明らかな修正または変形が可能である。例えば、説明を行った実施形態においては、コンテンツを外部の情報源からデータを検索したが、コンテンツをデータ記憶装置１１０からデータを検索し、説明を行ったと同様の動作によって本発明を実施することができることは明らかであろう。実施形態は、本発明の原理とその実際的な応用例を最もよく示し、それにより当業者が、本発明を、意図された特定の使用に適した様々な実施形態において様々な修正で使用できるように選択され説明された。そのようなすべての修正と変形は、特許請求の範囲の記載に明示されるとおりの本発明の原理および範囲内において、当業者によって行われ得ることは明らかであり、特許請求の範囲の記載によって定められる発明の技術的な範囲内にある。
【図面の簡単な説明】
【００４４】
【図１】本発明による実施形態が適用されるシステム全体の構成例を示すブロック図である。
【図２】本発明による実施形態のシステムの動作が実行されるコントローラのハードウェアの構成例である。
【図３】本発明による実施形態のシステムの動作が実行されるコントローラの機能ブロックの構成例である。
【図４】本発明による実施形態において、ドキュメント処理装置を介してコンテンツの検索およびルーティングを行う動作例を表すフローチャートである。
【図５】本発明による実施形態において、以前に受け取ったコンテンツ・データに関する変更の監視を行う動作例を表すフローチャートである。
【図６】本発明による実施形態において、ドキュメント処理装置に電子ドキュメントの処理の要求が行われている場合の動作例を表すフローチャートである。
【符号の説明】
【００４５】
１００  システム
１０２  コンピュータ・ネットワーク、分散コンピューティング環境
１０４  ドキュメント処理装置、ＭＦＰ
１０６  ユーザ・インターフェイス
１０８  コントローラ
１１０  データ記憶装置
１１２、１２０、１２２、１２４、１２８、１３２  通信リンク
１１４  ウェブ・サーバ
１１６  ドキュメント管理サーバ
１１８  ネットワーク・リポジトリ・サーバ
１２６  ユーザ装置
１３０  ウェブ適合携帯電話、ウェブ適合ポータブル電子装置
２００、３００  コントローラ
２０２  プロセッサ
２０４  読み出し専用メモリ
２０６  ＲＡＭ
２０８  ストレージ・インターフェイス
２１０  ネットワーク・インターフェイス・サブシステム
２１２  バス
２１４  ネットワーク・インターフェイス・カード
２１６  ディスク・ドライブ
２１８  無線インターフェイス
２２０  物理的ネットワーク
２２２  ドキュメント・プロセッサ・インターフェイス
２２４  コピー・ハードウェア
２２６  画像走査ハードウェア
２２８  印刷ハードウェア
２３０  ファクシミリ・ハードウェア
２３２  ドキュメント処理ハードウェア
３０２  ドキュメント処理エンジン
３０４  印刷機能部
３０６  ファクシミリ通信機能部
３０８  画像走査機能部
３１０  ユーザ・インターフェイス・パネル
３１２  ジョブ・キュー
３１４  ネットワーク・サービス機能部
３１６  画像プロセッサ
３１８  ジョブ解析部
３２０  クライアント側ネットワーク・サービス機能
３２２  クライアント装置サービス部
【図２】
2007334887.tif 000003
【図３】
2007334887.tif 000004
【図４】
2007334887.tif 000005
【図５】
2007334887.tif 000006
【図６】
2007334887.tif 000007
【図１】
2007334887.tif 000008